【事件の表示】
　特許第２７４３４８４号「ＩＣカードリーダ」の特許に対する特許異議の申立てについて、次のとおり決定する。
【結論】
　訂正を認める。
　特許第２７４３４８４号の特許を維持する。
【理由】
Ｉ．手続きの経緯
　本件特許第２７４３４８４号に係る発明は、平成１年６月２０日に出願され、平成１０年２月６日にその特許権の設定登録がなされ、その後、株式会社東芝より特許異議の申立がなされ、取消理由通知がなされ、その後指定期間内である平成１１年３月３０日に訂正請求がなされた。これに対し、本件訂正請求は、訂正明細書の記載が不備のため、特許法第１２０条の４第２項、又は第３項で準用する同法第１２６条第２項、第３項、第４項の規定に適合しないとした訂正拒絶理由を通知したところ、平成１１年６月１１日付で訂正請求書の補正がなされた。
ＩＩ．訂正の適否
１．補正の適否
　本補正は、訂正明細書の特許請求の範囲における一部の構成要件をより具体的に特定することにより、不明りょうな点を明りょうにすると共に、発明の詳細な説明中の不明りょうな点を明りょうにするものであり、特許法第１２０条の４第３項において準用する同法第１３１条第２項の規定に適合するので当該補正を採用する。
２．訂正事項
ａ．特許請求の範囲
「ロック爪を下ろすことによってカードのアクセス途中の抜き取りを防止するロック機構を有するＩＣカードリーダにおいて、前記カードの挿入力とは独立して前記ロック爪のロック動作およびロック解除動作の双方を行う単一のソレノイドを備え、前記ソレノイドは前記ロック動作および前記ロック解除動作の双方を交互に励磁動作によって行うＩＣカードリーダ。」を
「ロック爪（２８）を下ろすことによってカードのアクセス途中の抜き取りを防止するロック機構を有するＩＣカードリーダにおいて、
ばね力による付勢を受け、付勢方向とは逆の方向に回動し前記ロック爪（２８）を動作させ前記カードをロックする回動レバー（１８）と、
前記ばね力による前記回動レバー（１８）の戻りを拘止することで前記カードが前記ロック爪（２８）によりロックされたロック状態を保持する一方、前記回動レバーの戻りの拘止を解除することで前記カードのロック状態を解除するラッチレバー（１９）と、
単一のソレノイドの励磁作動作により前記回動レバー（１８）と前記ラッチレバー（１９）の双方に交互に力を伝えるレバー（１７，２２）とを備え、
前記カードのロック動作時、前記回動レバー（１８）の回動に続いて、前記ラッチレバー（１９）が前記回動レバー（１８）を拘止することでロック状態を保持し、前記カードのロック解除時、前記ラツチレバー（１９）による前記回動レバー（１８）の拘止を解除するように、
前記ソレノイドは前記カードの挿入力とは独立してロック動作および解除動作の双方を交互に励磁動作によって行うＩＣカードリーダ。」
と訂正する。
ｂ．発明の詳細な説明
　課題を解決するための手段の項中の「前記カードの挿入力とは独立して前記ロック爪のロック動作およびロック解除動作の双方を行う単一のソレノイドを備え、前記ソレノイドは前記ロック動作および前記ロック解除動作の双方を励磁動作によって行うものである。」（特許公報第２ページ第３欄第１５行〜第１９行）を「ロック爪を下ろすことによってカードのアクセス途中の抜き取りを防止するロック機構を有するＩＣカードリーダにおいて、ばね力による付勢を受け、付勢方向とは逆の方向に回動し前記ロック爪を動作させ前記力ードをロックする回動レバーと、前記ばね力による前記回動レバーの戻りを拘止することで前記カードが前記ロック爪によりロックされたロック状態を保持する一方、前記回動レバーの戻りの拘止を解除することで前記カードのロック状態を解除するラッチレバーと、単一のソレノイドの励磁作動作により前記回動レバーと前記ラッチレバーの双方に交互に力を伝えるレバーとを備え、前記カードのロック動作時、前記回動レバーの回動に続いて、前記ラッチレバーが前記回動レバーを拘止することでロック状態を保持し、前記カードのロック解除時、前記ラッチレバーによる前記回動レバーの拘止を解除するように、前記ソレノイドは前記カードの挿入力とは独立してロック動作および解除動作の双方を交互に励磁動作によって行ものである。」と訂正する。
ｃ．発明の詳細な説明
　作用の項中の「電力を必要とする」（特許公報第２頁第３欄第２９行）を、「ソレノイドが電力を必要とする」と訂正する。
３．訂正の目的の適否、新規事項の有無及び拡張・変更の存否
　訂正事項ａは、特許請求の範囲におけるロック機構に関する構成をより具体的に限定し、明確にしたものであり、特許請求の範囲の減縮、明りょうでない記載の釈明に該当するものである。
　訂正事項ｂは訂正事項ａによる訂正後の特許請求の範囲の内容に発明の詳細な説明の記載内容を整合させるためのものであり、明りょうでない記載の釈明に該当するものである。
　訂正事項ｃは、「電力を必要とするもの」は「ソレノド」であることを明確にしたものであり、明りょうでない記載の釈明に該当するものである。
　また、上記ａ〜ｃの各訂正事項は、いずれも願書に添付した明細書又は図面に記載した事項の範囲内のものであり、実質的に特許請求の範囲を拡張又は変更するものでもない。
４．独立特許要件について
（１）本件特許発明
　本件特許発明は、訂正された明細書及び図面の記載からみて、その特許請求の範囲に記載されたとおりのものである（以下、「本件発明という。）。
（２）取消理由について
　当審で通知した特許法第３６条第３項、第４項及び第５項の規定違反についての取消理由は、上記手続補正により補正された訂正請求により解消している。
５．訂正の適否についての結論
　以上のとおりであるから、上記訂正請求は、特許法第１２０条の４第２項の規定及び同条第３項で準用する第１２６条第２項〜第４項の規定に適合するので、当該訂正を認める。
ＩＩＩ．特許異議申立てについて
１．特許異議申立の理由１
　（特許法第２９条第１項、第２項について）
（１）申立人の主張の概要
　本件の特許異議申立人である株式会社東芝は、甲第１号証として特開昭６１−１５６３８４号公報（以下、「刊行物１」という。）、甲第２号証として特開平２−２５９９３号公報（以下、「刊行物２」という。）を、それぞれ提示し、本件発明は刊行物１に記載された発明と同一であるか若しくは同発明から容易に発明できたものであり、又、刊行物２に記載された発明からも容易に発明することができたものであるから、特許法第２９条第１項又は第２項の規定により特許を受けることができないものであり、上記本件発明に係る特許は取り消されるべきである旨主張している。
（２）刊行物に記載された発明
［刊行物１］
　同刊行物には、カードの後端を保持し、カード排出阻止手段としてのロック爪（５０）と、引戻しバネ（２１）によりカード挿入口側に付勢され、ＩＣカードの挿入により押込まれて挿入方向に移動するヘッド保持体（２０）と、ロック爪（５０）を駆動する揺動レパー（５２）に先端部が係合し、また、他方はヘッド保持体（２０）と当接して走行するスライダ（４３）とバネ（４４）を介して係合し、ロック爪（５０）をカードの拘止位置と非拘止位置に回動規制するための制御レバー（４０）と、先端に制御レバー（４０）の係止部（４６）に係合する係止爪（６３）を有し、単一のソレノイド（６０）の励磁動作により回動するＬ形レバー（６２）と、バネ（４４）を介して制御レバー（４０）と結合しており、ヘッド保持体（２０）の上記移動によりバネ（４４）に抗してヘッド保持体（２０）と共に挿入方向へ移動するスライダ（４３）とを備えたＩＣカード読取り書込み装置が記載されている。
［刊行物２］
　同刊行物には、カードの後端を保持し、カードの排出阻止手段としてのロック爪（１１２）と、取出しばね体（１２５）によりカード挿入口側に付勢され、ＩＣカードの挿入により押込まれて挿入方向に移動する駆動レバー（１２１）と、ロック爪（１１２）を回動するためのロックレバーであって、規制突起（１３２）を有し、ロックばね体（１３１）を介して駆動レバー（１２１）と結合しているロックレバー（１２６）と、先端にロックレバーの規制突起（１３２）に係合する解除爪（１４０）を有し、単一のソレノイド体（１３５）の励磁動作により回動するソレノイドアーム（１３７）とを備えたＩＣカード読取り書込み装置が記載されている。
（３）本件発明の新規性進歩性
　本件発明は、ロック爪をロック状態にするための駆動エネルギーとして、ロック爪のロック動作をカードの挿入力とは独立したソレノイドの電磁力を利用するものである。
　これに対し、刊行物１又は刊行物２に記載された発明は、ロック爪をロック状態にするための駆動エネルギーとして、ＩＣカードを所定位置まで挿入する際の挿入力の一部をバネに蓄積したものを利用するものであり、本件発明とはロック機構に関する構成が基本的に異なっている。
　そして、本件発明は、ロック爪のロック動作解除動作を単一のソレノイドの電磁力により行うようにするために特許請求の範囲に記載されている格別の構成を備えており、それにより、明細書に記載されているような、カードの挿入時のカード挿入力を低減できる、という顕著な効果を奏するものである。
　したがって、本件発明は、上記刊行物１に記載された発明と同一であるとは言えず、また、刊行物１又は刊行物２に記載された発明から当業者が容易に発明することができたものであるとも言えない。
２．特許異議申立の理由２
　（特許法３６条第４項について）
（１）申立人の主張
　申立人は、『（ア）本件特許発明の構成Ｂは「前記カードの挿入力とは独立して前記ロック爪のロック動作およびロック解除動作の双方を行う単一のソレイドを備え、」と記載されている。
　ところが、本願発明の詳細な説明の欄に記載された実施例では、カード４０の挿入力により移動する移動子７の後端がマイクロスイッチ６を押すことによりソレノイド２１が励磁される構成が記載されており、カードの挿入力とソレノイドの励磁動作は関連するものである。
　よって、本件特許発明の構成Ｂは本願発明の詳細な説明の欄に記載された実施例と相違しており、当業者が実施できる程度に開示されていない。（イ）また、本件特許発明の構成Ｃは「前記ソレノイドは前記ロック解除動作の双方を交互に励磁動作によって行うＩＣカードリーダ。」と記載されている。
　ところが、本願の発明の詳細な説明の欄に記載された実施例では、ソレノイドの励磁動作によってロック動作を行い、その後ロック解除動作を行うことしか記載されておらず、ロック解除動作を行い、その後ロック動作を行うという交互作用は記載されていない。
　従って、本件特許発明の構成Ｂ及びＣは本願の発明の詳細な説明の欄に記載された実施例に当業者が実施できる程度に構成が開示されておらず、記載要件に違反している。』と主張している。
（２）上記（ア）の主張についての判断
　上記構成Ｂに相当する部分は、訂正請求により、「ばね力による付勢を受け、付勢方向とはの方向に回動し前記ロック爪（２８）を動作させ前記カードをロックする回動レバー（１８）と、
前記ばね力による前記回動レバー（１８）の戻りを拘止することで前記カードが前記ロック（２８）によりロックされたロック状態を保持する一方、前記回動レバーの戻りの拘止を解除ることで前記カードのロック状態を解除するラッチレバー（１９）と、
単一のソレノイドの励磁作動作により前記回動レバー（１８）と前記ラッチレバー（１９）の双方に交互に力を伝えるレバー（１７，２２）とを備え、
前記カードのロック動作時、前記回動レバー（１８）の回動に続いて、前記ラッチレバー（１９）が前記回動レバー（１８）を拘止することでロック状態を保持し、前記カードのロック解除時、前記ラッチレバー（１９）による前記回動レバー（１８）の拘止を解除するように、」と訂正された。
　当該訂正は、上記構成Ｂの内容をさらに具体的に限定し明確にしたものであるが、▲１▼“
カードの挿入力とは独立して
　そこで、上記▲１▼の事項が、発明の詳細な説明に記載されている実施例と相違しているか否か検討する。
　発明の詳細な説明には、本件発明の実施例として、「カード４０をカード挿入口２から挿入する。・・・カード４０は移動子７に当接して移動子７を後方へ移動させる」（特許公報第２頁第４欄１７〜２１行）、「移動子７の後端がマイクロスイッチ６を押すことによりカード４０の挿入の終了を検出すると、コンピュータからの信号によりソレノイド２１が励磁され、・・・Ｌ字型レバー１７は回動して・・・回動レバー１８を・・・回動させ、ロック爪２８が下ろされる。回動レバー１８の回動によりラッチレバー１９のラッチ爪３１はラッチ溝３２の係止部３８へ落ち込み、回動レバー１８の動きを拘止しする。」（特許公報第２頁第４欄２８〜３８行）、「ソレノイド２１の励磁終了後、Ｌ字型レバー１７はコイルパネ２０によって・・・引き戻され、小レバー２２上のピン２５もガイドバネ２３により元の位置に戻る。カード４０のＩＣのデータの読み書き終了後、再度コンピュータからの信号によりソレノイド２１は励磁され、・・・ラッチレバー１９を・・・回動させ、ラッチ爪３１をラッチ溝３２の係止部３８から外す。回動レバー１８はバネ２９の付勢により元の位置に戻り、ロック爪２８は上がる。」（特許公報第２頁第４欄３９〜５０行）、等の記載がある。
　すなわち、上記実施例は、カード４０の挿入力とは独立して、単一のソレノイド２１の電磁力により、ロック爪２８のロック動作およびロック解除動作が行われるものである。
　したがって、上記実施例は上記▲１▼の事項と相違していないことは明らかであるから、申立人の当該主張は失当である。
　なお、上記実施例におけるマイクロスイッチ６は、ロック動作の際、ソレノイドに通電するタイミングを決めるための手段であり、発明の目的からして、スイッチに対する押圧力がカード挿入力に比べて無視できる程度のマイクロスイッチにすることは設計に当たり当然に考慮される事項であり、マイクロスイッチを使用する実施例であっても、本件発明の所期の目的を達成できることは明らかである。
（３）上記（イ）の主張についての判断
　次に上記構成Ｃすなわち「前記ソレノイドは前記ロック解除動作の双方を交互に励磁動作によって行う」という事項が発明の詳細な説明に当業者が容易に実施できる程度に記載されているか否かについて検討する。
　本件特許明細書における発明の詳細な説明及び図面に開示されている実施例によると、そのロック機構は次のように動作するものと理解される。
　ロック爪のロック解除状態でカード挿入口からカードを挿入し、カードが所定の位置で装着状態になると、▲１▼ソレノイドが所定時間励磁され、これによりロック爪がロック状態となり（ロック動作）、カードへの読み・書きが終了すると、▲２▼再びソレノイドが所定時間励磁され、これによりロック爪がロック解除状態になり（ロック解除動作）、カードが排出される。再びカード挿入口からカードが挿入され、カードが所定の位置で装着状態になると、▲１▼ソレノイドが所定時間励磁され、これによりロック爪がロック状態となり（ロック動作）、カードへの読み・書きが終了すると、▲２▼再びソレノイドが所定時間励磁され、これによりロック爪がロック解除状態になり（ロック解除動作）、カードが排出される。すなわち「ソレノイドが励磁される毎に、▲１▼→▲２▼→▲１▼→▲２▼を繰り返すことになる。
　してみると、発明の詳細な説明には、「ソレノ１イドは前記ロック動作および前記ロック解除動作の双方を交互に励磁動作によって行う」ことについて、当業者が容易に実施できる程度に記載されているといえる。
　したがって、申立人の当該主張は失当である。
３．特許異議申立の理由３
（補正書の要旨変更について）
（１）申立人の主張
　申立人は、本件発明の構成Ｂ「前記カードの挿入力とは独立して前記ロック爪のロック動作およびロック解除動作の双方を行う単一のソレノイドを備え」、構成Ｃ「前記ソレノイドは前記ロック動作およびロック解除動作の双方を交互に励磁動作によって行うＩＣカードリーダ。」については平成８年１０月１６日付の補正によって追加された事項であり、出願当初の明細書及び図面には記載されていない事項であるから、当該補正は要旨変更により却下されるべきものであり、出願日が当該補正時点まで繰り下がるため、本件特許発明は特開平３−２２１９１号公報に記載された発明に基づき容易に発明できたものである旨主張している。
（２）上記主張に対する判断
　上記構成Ｂは、訂正請求により訂正されている。しかし、当該訂正は、上記構成Ｂの内容をさらに具体的に限定し明確にしたものであるが、上記２．（２）で述べたように、実質的に上記構成Ｂを含むものである。また、上記構成Ｃについては、訂正後の特許請求の範囲に同じように記載されている。
　そこで、▲１▼「前記カードの挿入力とは独立して前記ロック爪のロック動作および解除動作の双方を行う単一のソレノイドを備え」、▲２▼「前記ソレノイドは前記ロック動作およびロック解除動作の双方を交互に励磁動作によって行うＩＣカードリーダ。」の各事項が出願当初の明細書又は図面に記載されていたもであるか否かについて検討する。
　出願当初の明細書には、「従来のＩＣカードリーダ・ライタのロック機構はカード５０の挿入力を利用してロック爪４５の動作を行なうため、カード挿入時、途中からロック爪４５の動作を行なうための挿入力を必要とし、操作者に挿入力の急な変化を感じさせる。」（第４頁第３〜８行）、「本発明によれば、カードの入力を利用せずにロック爪を上げ下げできることにより、カードの挿入時のカード挿入力を低減できる。」（第１０頁第１５〜１８行）、という記載と共に、発明の詳細な説明には実施例として上記２．（２）で指摘した事項が記載され、また、添付図面にもその具体的構造が開示されている。
　これらの記載事項からみて、上記▲１▼の事項及び上記▲２▼の事項は、出願当初の明細書及び図面に記載されていた事項であることは明らかである。
　したがって、申立人の当該主張は失当である。
ＩＶ．むすび
　以上のとおりであるから、特許異議申立の理由及び証拠によっては本件発明に係る特許を取り消すことはできない。
　また、他に上記発明に係る特許を取り消すべき理由を発見しない。
　よって、結論のとおり決定する。
【異議決定日】
平成１１年７月３０日（１９９９．７．３０）
【訂正の要旨】
（３）訂正事項（訂正の要旨）
ａ．特許請求の範囲の欄において「ロック爪を下ろすことによってカードのアクセス途中の抜き取りを防止するロック機構を有するＩＣカードリーダにおいて、前記カードの挿入力とは独立して前記ロック爪のロック動作およびロック解除動作の双方を行う単一のソレノイドを備え、前記ソレノイドは前記ロック動作および前記ロック解除動作の双方を交互に励磁動作によって行うＩＣカードリーダ。」を特許請求の範囲の減縮を目的として「ロック爪
（２８）
ばね力による付勢を受け、付勢方向とは逆の方向に回動し
（２８）
（１８）
前記ばね力による
（１８）の戻り
（２８）
（１８）
戻りの
（１９）
（１７、２２）
（１８）
（１９）
（１８）
（１９）
（１８）
ｂ．特許請求の範囲の記載と発明の詳細な説明の記載との整合を図るため、明瞭でない記載の釈明を目的として、明細書第２ページ第３欄第１５行〜第１９行（訂正箇所特定の便宜のため本件特許の特許掲載公報によって特定する）の「前記カードの挿入力とは独立して前記ロック爪のロック動作およびロック解除動作の双方を行う単一のソレノイドを備え、前記ソレノイドは前記ロック動作および前記ロック解除動作の双方を励磁動作によって行う」を「ロック爪を下ろすことによってカードのアクセス途中の抜き取りを防止するロック機構を有するＩＣカードリーダにおいて、
ばね力による付勢を受け、付勢方向とは逆の方向に回動し
前記ばね力による
の戻り
戻りの
ｃ．明細書第２頁第３欄第２９行の「電力を必要とする」を、明瞭でない記載の釈明を目的として、「ソレノイドが電力を必要とする」と訂正する。
（５４）【発明の名称】
ＩＣカードリーダ
（５７）【特許請求の範囲】
ロック爪
（２８）
ばね力による付勢を受け、付勢方向とは逆の方向に回動し
（２８）
（１８）
前記ばね力による
（１８）の戻り
（２８）
戻りの
（１９）
単一のソレノイドの励磁作動作により前記回動レバー（１８）と前記ラッチレバー（１９）の双方に交互に力を伝えるレバー
（１７、２２）
前記カードのロック動作時、前記回動レバー
（１８）
（１９）
（１８）
（１９）
（１８）
前記ソレノイドは前記カードの挿入力とは独立してロック動作および解除動作の双方を交互に励磁動作によって行うＩＣカードリーダ。
【発明の詳細な説明】
産業上の利用分野
　本発明は、ＩＣカードリーダに関し、特にＩＣカードのアクセス途中の抜き取りを防止するためのロック機構に関するものである。
従来の技術
　第３図に従来のＩＣカードリーダの一例を示す。第３図ａは上から見た平面図、第３図ｂは同側断面図である。挿入口４１から挿入されたＩＣカード５０は摺動レバー４２のカード当接部４３に当接して、コイルバネ４４による付勢を受けている摺動レバー４２を図中の矢印の方向に摺動させ、摺動レバー４２に連結したロック爪４５を下す。この時、摺動レバー４２上のピン４６がラッチレバー４７の溝４８に入ることにより、コイルバネ４４による摺動レバー４２の戻りは拘止され、ロック爪４５は下りた状態で維持される。ソレノイド４９が励磁されることによりラッチレバー４７が動かされピン４６が溝４８からはずれ、摺動レバー４２はコイルバネ４４により戻され、ロック爪４５が上がる。このように、従来のＩＣカードリーダのロック機構はカード５０の挿入力を用いてロック爪４５を下ろし、カード５０の挿入力によって伸ばされたバネ４４のバネ力によってロックの解除を行なっている。
発明が解決しようとする課題
　前述したように従来のＩＣカードリーダのロック機構はカード５０の挿入力を利用してロック爪４５の動作を行なうため、カード挿入時、途中からロック爪４５の動作を行なうための挿入力を必要とし、操作者に挿入力の急な変化を感じざせる。またクレジットカードのような磁気カードが挿入された時など、カード抜き取り防止のためのロックを必要としない場合もカード５０の挿入によって機械的にロック爪４５が下りてカードが抜き取れない状態にしてしまう。
課題を解決するための手段
　本発明は上記の課題を解決するため、ロック爪を下ろすことによってカードのアクセス途中の抜き取りを防止するロック機構を有するＩＣカードリーダにおいて、
ばね力による付勢を受け、付勢方向とは逆の方向に回動し
前記ばね力による
の戻り
戻りの
作用
　上記構成により、本発明のＩＣカードリーダは、カードの挿入力の影響を受けずにカードロック・ロック解除が可能なため、カードの挿入力を低減できるとともに、上記両動作が、単一のソレノイドによって行われるため、ロックのための特別な機構を設ける必要がなく、さらに、ソレノイドのスペースも一つで済むことにより、省スペース化を図ることができる。
　さらに、上記いずれの動作も、ソレノイドの励磁動作によって行われるために、ソレノイドが電力を必要とするのが動作時のみであることにより、省電力化を図ることが可能である。
実施例
　以下に図面を用いて本発明による一実施例を述べる。第１図に本発明によるＩＣカードリーダを、特に磁気併用型ＩＣカードリーダを示す。第１図ａは上から見た平面図、第１図ｂは同正面図、第１図ｃは同側断面図である。第２図ａ，ｂ，ｃは同装置のロック機構の動作を示す図である。
　前方にＩＣカ一ド４０の挿入口２を設けた合成樹脂からなる本体１は、前部右側に磁気ヘッド３と、カード４０の挿入を検出する前センサーレバー４およびマイクロスイッチ５が配置され、後部右側にはカードの挿入終了を検出するマイクロスイッチ６が配置されている。本体１の内部後方には、カードを受けてカードの挿入方向に移動する移動子７があり、移動子７はコイルバネ８によりカード４０の排出方向に付勢を受けている。ＩＣコネクター９を有したコンタクト部材１０，後端をコンタクト部材１１を介して移動子７と連結し、前部長穴１２で本体上のピン１３と連結している。本体後部右側にはカード保持バネ１４とカード保持体１５がある。本体前部左側にはロック機構部が取り付けられている。ロック機構部のシャーシ１６上にはそれぞれピンの周りに回動するＬ字型レバー１７，回動レバー１８，ラッチレバー１９が取り付けられている。Ｌ字型レバー１７の一端にはコイルバネ２０とソレノイド２１が取り付けられ、他方端には小レバー２２とガイドバネ２３がピン２４に回動可能なように取り付けられている。小レバー２２はピン２５を有し、ガイドバネ２３はピン２５とシャーシ１６下にたてられたピン２６をはさみ込む。回動レバー１８は、連結レバー２７を介してロック爪２８と連結している。連結レバー２７にはコイルばね２９が取付けられ、ロック爪２８が上がる方向に付勢を与えている。ラッチレバー１９にはコイルバネ３０が付けられ、ラッチ爪３１が回動レバー１８のラッチ溝３２に当接するように付勢を与えている。回動レバー１８の上にはマイクロスイッチ３３が配置され、回動レバー１８の爪部３４がマイクロスイッチ３３を押すことによってロック爪２８が下りたことを検出する。
　このような構成において、カード４０をカード挿入口２から挿入する。カード４０の挿入により前センサーレバー４が回動してマイクロスイッチ５を押してカード４０の挿入を検知する。カード４０は移動子７に当接して移動子７を後方へ移動させる。移動子７の移動にともなってコンタクト部材１１は本体１の穴部３５に当接しながら回動してコンタクト部材１０の後部をカード面に下ろし、コンタクト部材１０の前部も長穴１２に沿ってカード面に下り、コンタクト部材１０に取り付けられたＩＣコネクタ９のコンタクトピン３６はカード４０のＩＣ端子面に接圧される。カード４０は挿入終了位置付近でカード保持体１５にはさまれ保持される。移動子７の後端がマイクロスイッチ６を押すことによりカード４０の挿入の終了を検出すると、コンピュータからの信号によりソレノイド２１が励磁され、Ｌ字型レバー１７を引く。第２図ａの矢印Ａ方向にＬ字型レバー１７は回動して小レバー２２上のピン２５はガイドバネ２３に導かれて動き、回動レバー１８のピン当接部３７に当接して回動レバー１８を第２図ａの矢印Ｂ方向に回動させ、ロック爪２８が下ろされる。第２図ｂに示すように回動レバー１８の回動によりラッチレバー１９のラッチ爪３１はラッチ溝３２の係止部３８へ落ち込み、回動レバー１８の動きを拘止しする。この時、回動レバー１８の爪部３４がマイクロスイッチ３３を押してロック爪２８が下りたことを検出する。ソレノイド２１の励磁終了後、Ｌ字型レバー１７はコイルバネ２０によって第２図ｂの矢印Ｃ方向に引きもどされ、小レバー２２上のピン２５もガイドバネ２３により元の位置に戻る。カード４０のＩＣのデータの読み書き終了後、再度コンピュータからの信号によりソレノイド２１は励磁され、Ｌ字型レバー１７を引く。小レバー２２上のピン２５はガイドバネ２３に導かれて動き、ラッチレバーのピン当接部３９に当接してラッチレバー１９を第２図ｃの矢印Ｄ方向に回動させ、ラッチ爪３１をラッチ溝３２の係止部３８から外す。回動レバー１８はパネ２９の付勢により元の位置に戻り、ロック爪２８は上がる。カードを引き抜くと、移動子７はコイルばね８により排出方向に移動してコンタクト部材１０はカード面から上がり、カード端子面に接圧されたＩＣコネクター９のコンタクトピン３６は離れる。移動子７の後端がマイクロスイッチ６から離れ、カード４０の排出開始を検出すると、磁気ヘッド３によるカード４０の磁気トラックのデータの読み取りを開始する。カード４０を完全に排出されると前センサーレバー４が戻りマイクロスイッチ５はきれる。
発明の効果
　以上述べたように本発明によれば、カードの挿入力を利用せずにロック爪を上げ下げできることにより、カードの挿入時のカード挿入力を低減できる。しかもクレジットカードのような磁気カードが挿入された時など、カードの抜き取り防止のためのロックを必要としない場合はコンピュータが駆動手段を動作させないためロック爪は下りず挿入されたカードはそのまま抜き取ることができるのでスムーズな操作ができる。また、本実施例の単一のソレノイドで駆動するロック機構を用いることによりロック機構を小型，低コストに構成できる。そのうえ、ロック爪が完全に下ろされていることを検知できる位置検出手段を有することにより、ＩＣカードのアクセス途中の不完全なロック状態によるカードの誤排出を防ぐことができ、安全なシステムを構成できる。
【図面の簡単な説明】
第１図は本発明によるＩＣカードリーダの一実施例を示し、第１図ａは上から見た平面図、第１図ｂは正面図、第１図ｃは側断面図である。
第２図ａ，ｂ，ｃは同装置のロック機構の動作を示す要部平面図である。第３図ａは従来のＩＣカードリーダ・ライタの平面図、第３図ｂは同側断面図である。
１……本体、２……挿入口、３……磁気ヘッド、４……前センサーレバー、５……マイクロスイッチ、６……マイクロスイッチ、７……移動子、９……ＩＣコネクタ、１０……コンタクト部材、１１……コンタクト部材、１５……カード保持体、１７……Ｌ字型レバー、１８……回転レバー、１９……ラッチレバー、２１……ソレノイド、２２……小レバー、２３……ガイドバネ、２４……ピン、２７……連結レバー、２８……ロック爪、３１………ラッチ爪、３２……ラッチ溝、３３……マイクロスイッチ、２０……コイルバネ、２９……コイルバネ、３０……コイルバネ。